【事件の表示】
　特許第３２０８６０９号「プロジェクションテレビ用スクリーン」の請求項１、２に係る特許に対する特許異議の申立てについて、次のとおり決定する。
【結　論】
　訂正を認める。
　特許第３２０８６０９号の請求項１に係る特許を取り消す。
【理　由】
（１）手続の経緯
　特許第３２０８６０９号の請求項１及び２に係る発明は、平成４年１２月２９日に特許出願され、平成１３年７月１３日にその特許の設定登録がなされ、その後異議申立人北村二郎により特許異議の申立がなされ、取消理由通知がなされ、その指定期間内である平成１４年８月９日に訂正請求がなされたものである。
　
（２）訂正の適否についての判断
　（ア）訂正の内容
訂正事項ａ
　特許明細書の特許請求の範囲における請求項１の記載を削除する。
　
訂正事項ｂ
　特許明細書の特許請求の範囲における請求項２を新たな請求項１に訂正する。
　
訂正事項ｃ
　特許明細書の段落【００１１】、【００１３】、【００１４】を削除する。
　そして、これらの削除に伴い、特許明細書の段落【００１２】を段落【００１１】に訂正し、特許明細書の段落【００１５】〜【００３３】をそれぞれ段落【００１２】〜【００３０】に訂正する。
　
訂正事項ｄ
　特許明細書の段落【００１２】（訂正後の段落【００１１】）の記載を下記の通りに訂正する。
「【００１１】
【課題を解決するための手段】
　請求項１のプロジェクションテレビ用スクリーンは、表示すべき画像の走査線の方向に対してレンチキュラレンズの延在方向が垂直であり、前記画像の光１７の出射側の表面部にのみ光拡散剤２１が混入されている第１のレンチキュラレンズスクリーン１４と、前記走査線の方向に対して前記延在方向が平行であり、光拡散剤２１が混入されておらず、前記光１７の出射面のうちでレンチキュラレンズ以外の部分に光吸収面２２が設けられており、前記出射側で前記第１のレンチキュラレンズスクリーン１４に重畳されている第２のレンチキュラレンズスクリーン２３とを具備している。」
　
訂正事項ｅ
　特許明細書の段落【００１５】（訂正後の段落【００１２】）の記載を下記の通りに訂正する。
「【００１２】
【作用】
　請求項１のプロジェクションテレビ用スクリーンでは、第１及び第２のレンチキュラレンズスクリーン１４、２３によって視野角を立体的に拡げることができるが、光拡散剤２１は第１のレンチキュラレンズスクリーン１４のうちで表示すべき画像の光１７の出射側の表面部にしか混入されていないので、光透過率が高い。」
　
　（イ）訂正の目的の適否、新規事項の有無及び拡張・変更の存否
　訂正事項ａに係る訂正は、特許請求の範囲の減縮に該当し、実質的に特許請求の範囲を拡張又は変更するものではないし、新規事項の追加にも該当しない。
　
　訂正事項ｂ〜ｅに係る訂正は、明瞭でない記載の釈明に該当し、実質的に特許請求の範囲を拡張又は変更するものではないし、新規事項の追加にも該当しない。
　
　（ウ）むすび
　以上のとおりであるから、上記訂正は特許法等の一部を改正する法律（平成６年法律第１１６号）（以下「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書及び第２項の規定に適合するので、当該訂正を認める。
　
（３）特許異議の申立について
　（ア）申立の理由の概要
　申立人北村二郎は、証拠として甲第１号証〔実願昭５９−４８５２８号（実開昭６０−１６１３４０号）のマイクロフィルム〕、甲第２号証（特開昭５０−１０１３４号公報）、甲第３号証（特開昭５０−１３６０２８号公報）、甲第４号証（特開昭５８−１８４９３９号公報）、甲第５号証（特開平３ー３９９４４号公報）を提出し、本件請求項１及び２に係る発明の特許は、甲第１〜５号証記載の発明に基づいて当業者が容易に発明することができたものであるので、特許法第２９条第２項の規定に違反してなされたものである。したがって、本件請求項１及び２に係る発明の特許を取り消すべき旨主張している。
　
　（イ）本件請求項１に係る発明
　本件請求項１に係る発明は、上記訂正に係る訂正明細書の特許請求の範囲の請求項１に記載された事項により特定される次のとおりのものである。
「【請求項１】
　表示すべき画像の走査線の方向に対してレンチキュラレンズの延在方向が垂直であり、前記画像の光の出射側の表面部にのみ光拡散剤が混入されている第１のレンチキュラレンズスクリーンと、
　前記走査線の方向に対して前記延在方向が平行であり、光拡散剤が混入されておらず、前記光の出射面のうちでレンチキュラレンズ以外の部分に光吸収面が設けられており、前記出射側で前記第１のレンチキュラレンズスクリーンに重畳されている第２のレンチキュラレンズスクリーンとを具備するプロジェクションテレビ用スクリーン。」
　
　（ウ）引用刊行物
　訂正後の本件請求項１に係る発明に対して、当審が平成１４年５月３０日付で通知した取消理由で引用した刊行物１［甲第１号証〔実願昭５９−４８５２８号（実開昭６０−１６１３４０号）のマイクロフィルム〕］には、次のような記載がある。
「本考案は、透過型のプロジェクションテレビ用のスクリーンに関する。」（第４頁第２〜３行）
　
「上記の知見にもとづく本考案の透過型スクリーンは、図面に示すように、２枚のレンチキュラーシート１および２を、その一方１のレンズ軸を水平に配置して光線３からの光を上下方向に適度に拡散させ、他方２のレンズ軸を垂直に配置して左右に拡散させるように構成し、前記他方のレンチキュラーシート２の厚さＴ２を１とするとき、ピッチＰ２を０．７〜０．９、入射光側の凸レンズ２１のレンチキュラーシート面に水平な方向の径Ｄ２１Ａを０．２０〜０．３５、垂直な方向の径Ｄ２１ＢをＤ２１Ａに対して１：１〜２とし、出射光側の凸レンズ２２のレンチキュラーシート面に水平な方向の径Ｄ２２Ａ０．４〜０．５、垂直な方向の径Ｄ２２ＢをＤ２２Ａに対して１：０．８〜１．２としたことを特徴とする。」（第７頁第１〜１５行）
　
「そのほかに透過型スクリーンに要求されるのは、光が入射する中心の輝度が異常に高くなる現象、いわゆるホットスポットをなくすことである。この問題はレンチキュラーレンズを２枚使用することにより、ある程度解決されるが、レンチキュラーレンズ１または２のどちらか一方のレンズ面をマット加工し、光を散乱させることにより解決できる。この効果についてはすでに開示した。（特公昭５８−１８６７３２号、特公昭５８−１８４９３９号）
　また、外光の影響を少なくしてスクリーン上の画像を明瞭にする目的で、レンチキュラーレンズシート２の出射光側の凸レンズ間に、黒色の光遮蔽部を形成するとよい。これも、上記特許出願公告においてすでに開示してあり、「ブラックストライプレンチキュラー」の名で知られている。
　ブラックストライプは、第２図に符号２３で示すようにレンズ間に配置してもよいし、レンズ間に上が平坦な突出部を設けて平坦な表面を黒色にすることにより配置してもよい。」（第８頁第６行〜第９頁第５行）
　
　走査線の方向は通常水平方向であるので、前記記載事項と図面からみて、刊行物１には、第１または第２のレンチキュラーシートのどちらか一方のレンズ面がマット加工されており、表示すべき画像の走査線の方向に対してレンチキュラーレンズの延在方向が平行である第１のレンチキュラーシートと、前記走査線の方向に対して前記延在方向が垂直であり、光拡散剤が混入されておらず、光の出射面のうちでレンチキュラーレンズ以外の部分に黒色の光遮蔽部が設けられており、第１のレンチキュラーシートの出射側で前記第１のレンチキュラーシートに重畳されている第２のレンチキュラーシートとを具備するプロジェクションテレビ用スクリーン、が記載されている。
　
　同刊行物２〔甲第２号証（特開昭５０−１０１３４号公報）〕には、次のような記載がある。
「明室用透過型スクリーンの製造方法」（第１頁左欄、発明の名称）
　
「面光源１の開口面と前記スクリーン部材との位置関係は、本発明に基づいて製造されたスクリーンを実際に使用する場合の投影機の投影レンズの開口面と該スクリーンとの位置関係にほぼ等しくするとともに、面光源１と投影機との開口寸法もほぼ等しくすることが望ましい。」（第２頁左下欄第１〜７行）
　
「１２は感光剤層１１に設けられた光吸収性の不透明部分、１３は同じく透明部分である。
第４図は水平方向に光を収束するレンチキュラーシート１４の平面側と垂直方向にのみ光を収束するレンチキュラーシートの凸面を向き合わせ、前記キュラーシート１５の平面側に感光剤層１１を設けた構成のスクリーン」（第５頁左上欄第９〜１６行）
　
　前記記載事項および図面からみて、刊行物２には、レンチキュラレンズの延在方向が垂直である第１のレンチキュラーシートと、前記延在方向が水平であり、第１のレンチキュラーシートの出射側で前記第１のレンチキュラーシートに重畳されている第２のレンチキュラーシートとを具備する透過形スクリーン、が記載されている。
　
　（エ）対比・判断
　刊行物１記載の発明の「レンチキュラーシート」、「レンチキュラーレンズ」、及び「黒色の光遮蔽部」は、訂正後の請求項１に係る発明（以下、「本件発明」という。）の「レンチキュラレンズスクリーン」、「レンチキュラレンズ」、及び「光吸収面」にそれぞれ相当するものであるので、刊行物１には、第１または第２のレンチキュラレンズスクリーンのどちらか一方のレンズ面がマット加工されており、表示すべき画像の走査線の方向に対してレンチキュラレンズの延在方向が平行である第１のレンチキュラレンズスクリーンと、前記走査線の方向に対して前記延在方向が垂直であり、光拡散剤が混入されておらず、前記光の出射面のうちでレンチキュラレンズ以外の部分に光吸収面が設けられており、第１のレンチキュラレンズスクリーンの出射側で前記第１のレンチキュラレンズスクリーンに重畳されている第２のレンチキュラレンズスクリーンとを具備するプロジェクションテレビ用スクリーン、が記載されている。
　
　本件発明と上記刊行物１（甲第１号証）記載の発明とを対比すると両者は、表示すべき画像の走査線の方向に対してレンチキュラレンズの延在方向が、第２のレンチキュラレンズスクリーンのレンチキュラレンズの延在方向と異なる、第１のレンチキュラレンズスクリーンと、前記走査線の方向に対して前記延在方向が、第１のレンチキュラレンズスクリーンのレンチキュラレンズの延在方向と直交し、光拡散剤が混入されておらず、光の出射面のうちでレンチキュラレンズ以外の部分に光吸収面が設けられており、第１のレンチキュラレンズスクリーンの出射側で前記第１のレンチキュラレンズスクリーンに重畳されている第２のレンチキュラレンズスクリーンとを具備するプロジェクションテレビ用スクリーン、という点で一致し、次の点で相違する。
　
相違点（Ａ）
　表示すべき画像の走査線の方向に対してレンチキュラレンズの延在方向が、本件発明は、第１のレンチキュラレンズスクリーンが垂直で、第２のレンチキュラレンズスクリーンが平行であるのに対して、刊行物１記載の発明は、第１のレンチキュラレンズスクリーンが平行で、第２のレンチキュラレンズスクリーンが垂直である点。
　
相違点（Ｂ）
　光拡散（光散乱）する場所が、本件発明は、第１のレンチキュラレンズスクリーンの画像の光の出射側の表面部であるのに対して、刊行物１記載の発明は、第１または第２のレンチキュラレンズスクリーンのどちらか一方のレンズ面である点。
　
相違点（Ｃ）
　光拡散（光散乱）する場所において、本件発明は、レンチキュラレンズスクリーンの表面部にのみ光拡散剤が混入されているのに対して、刊行物１記載の発明は、レンチキュラレンズスクリーンのレンズ面をマット加工している点。
　
　（相違点に対する判断）
相違点（Ａ）について：
　刊行物２記載の発明の「レンチキュラーシート」は、本件発明の「レンチキュラレンズスクリーン」に相当するものであるので、刊行物２には、レンチキュラレンズの延在方向が垂直である第１のレンチキュラレンズスクリーンと、前記延在方向が水平であり、第１のレンチキュラレンズスクリーンの出射側で前記第１のレンチキュラレンズスクリーンに重畳されている第２のレンチキュラレンズスクリーンとを具備する透過形スクリーン、が記載されている。
　
　刊行物１記載の発明においてレンチキュラレンズの延在方向を、刊行物２記載の発明のように、第１のレンチキュラレンズスクリーンのレンチキュラレンズの延在方向を垂直に、第２のレンチキュラレンズスクリーンのレンチキュラレンズの延在方向を水平（画像を走査する場合は、走査線の方向に対して平行）に換えて、相違点（Ａ）における本件発明のように構成したことに、格別の困難性は認められない。
　
相違点（Ｂ）について：
　刊行物１記載の発明の第１または第２のレンチキュラレンズスクリーンのどちらか一方のレンズ面は、相違点（Ｂ）における本件発明の構成を含むものであって、相違点（Ｂ）における本件発明のように構成したことは、当業者が必要に応じて適宜に採用しうる設計上の事項にすぎない。
　
相違点（Ｃ）について：
　光を拡散（散乱）するために、光学部材の表面部に光拡散剤を混入することは周知技術〔例えば、実願昭５７−１２４３３１号（実開昭５９−２７５０４号）のマイクロフィルム、実願昭６１−２５０３９号（実開昭６２−１３７４２８号）のマイクロフィルム、実願昭５９−７９０５９号（実開昭６０−１９１００１号）のマイクロフィルム等参照。〕であって、刊行物１記載の発明においてレンチキュラレンズスクリーンのレンズ面をマット加工することに換えて、相違点（Ｃ）における本件発明のように構成したことは当業者が容易にできる設計変更にすぎない。
　
　そして、本件発明の効果は、刊行物１及び２の記載と上記周知技術から予測される範囲のものである。
　
　（オ）むすび
　以上のとおり、訂正後の本件請求項１に係る発明は、上記刊行物１及び２記載の発明と周知技術に基づいて、当業者が容易に発明をすることができたものであるから、訂正後の本件請求項１に係る発明の特許は、特許法第２９条第２項の規定により特許を受けることができない。
　したがって、訂正後の本件請求項１に係る発明についての特許は拒絶の査定をしなければならない特許出願に対してなされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１１月２９日（２００２．１１．２９）
【訂正の要旨】
訂正の要旨
▲１▼　訂正事項ａ
　特許明細書の特許請求の範囲における請求項１の記載を、特許請求の範囲の減縮を目的として、削除する。
▲２▼　訂正事項ｂ
　上記請求項１の削除に伴い、特許明細書の特許請求の範囲における請求項２を新たな請求項１に訂正する。
▲３▼　訂正事項ｃ
　上記請求項１の削除に伴い、特許請求の範囲の記載と発明の詳細な説明との整合を図るために、明瞭でない記載の釈明を目的として、特許明細書の段落【００１１】【００１３】【００１４】を削除する。
　そして、これらの削除に伴い、特許明細書の段落【００１２】を段落【００１１】に訂正し、段落【００１５】〜【００３３】を夫々段落【００１２】〜【００３０】に訂正する。
▲４▼　訂正事項ｄ
　上記の様に特許明細書の特許請求の範囲における請求項２を新たな請求項１に訂正することに伴い、特許請求の範囲の記載と発明の詳細な説明との整合を図るために、明瞭でない記載の釈明を目的として、特許明細書の段落【００１２】（訂正後の段落【００１１】）の記載を下記の通りに訂正する。
「　　【００１１】
　【課題を解決するための手段】
　請求項
１
▲５▼　訂正事項ｅ
　上記の様に特許明細書の特許請求の範囲における請求項２を新たな請求項１に訂正することに伴い、特許請求の範囲の記載と発明の詳細な説明との整合を図るために、明瞭でない記載の釈明を目的として、特許明細書の段落【００１５】（訂正後の段落【００１２】）の記載を下記の通りに訂正する。
「　　【００１２】
　【作用】
　請求項
１
（５４）【発明の名称】
プロジェクションテレビ用スクリーン
（５７）【特許請求の範囲】
　【請求項１】　表示すべき画像の走査線の方向に対してレンチキュラレンズの延在方向が垂直であり、前記画像の光の出射側の表面部にのみ光拡散剤が混入されている第１のレンチキュラレンズスクリーンと、
　前記走査線の方向に対して前記延在方向が平行であり、光拡散剤が混入されておらず、前記光の出射面のうちでレンチキュラレンズ以外の部分に光吸収面が設けられており、前記出射側で前記第１のレンチキュラレンズスクリーンに重畳されている第２のレンチキュラレンズスクリーンと
を具備するプロジェクションテレビ用スクリーン。
【発明の詳細な説明】
　【０００１】
　【産業上の利用分野】
　本願の発明は、画像をスクリーンへ投射して表示するプロジェクションテレビに用いられるスクリーンに関するものである。
　【０００２】
　【従来の技術】
　プロジェクションテレビは、図６に示す様に、陰極線管１１等に表示されている画像を投射レンズ１２によってスクリーン１３上に拡大、投射するものであり、スクリーン１３の種類によってフロント型（反射型）とリア型（透過型）との２種類に分けられる。
　【０００３】
　このうちのリア型プロジェクションテレビ用のスクリーン１３は、図７にも示す様に、一般に、レンチキュラレンズが縦方向に延在している縦ストライプのレンチキュラレンズスクリーン１４とフレネルレンズスクリーン１５とで構成されている。なお、投射レンズ１２とスクリーン１３との間にミラー１６を配置し、光路を曲げて、プロジェクションテレビの寸法を小さくしている。
　【０００４】
　フレネルレンズスクリーン１５は、投射された画像の光１７をレンチキュラレンズスクリーン１４へ垂直に入射させるためのものである。また、レンチキュラレンズスクリーン１４は、入射した光１７を屈折させて、出射する光１７を拡散させるためのものである。
　【０００５】
　そして、従来のプロジェクションテレビ用スクリーンでは、光１７の拡散角を大きくするために、図８に示す様に、レンチキュラレンズスクリーン１４中に光拡散剤２１を混入させている。なお、外光の反射によるコントラストの低下を防止するために、レンチキュラレンズスクリーン１４の出射面のうちでレンチキュラレンズ以外の部分に、ブラックストライプである黒色面２２が設けられている。
　【０００６】
　しかし、この様な従来のプロジェクションテレビ用スクリーンでは、レンチキュラレンズスクリーン１４によって水平方向には実用上は十分な視野角を得ることができるが、垂直方向には光拡散剤２１による効果しかないので視野角が狭い。垂直方向の視野角が狭いと、例えば、座って見ると画面が明るくても、寝て見ると画面が暗くて、高品質の画像を表示することができない。
　【０００７】
　そこで、垂直方向の視野角を拡げるために、レンチキュラレンズスクリーン１４中に混入させる光拡散剤２１の量を増やしたり、図９に示す様に、縦ストライプのレンチキュラレンズスクリーン１４に横ストライプのレンチキュラレンズスクリーン２３を重畳させたりすることが考えられている。
　【０００８】
　但し、２枚のレンチキュラレンズスクリーン１４、２３を用いると、コストが高くなる。そこで、図１０に示す様に、複数のマイクロレンズが格子状に並んでいる１枚のマイクロレンズスクリーン２４を２枚のレンチキュラレンズスクリーン１４、２３の代わりに用いることも考えられている。
　【０００９】
　【発明が解決しようとする課題】
　しかし、レンチキュラレンズスクリーン１４中に混入させる光拡散剤２１の量を増やすと、入射光の反射が多くなって光透過率が低下し、画像の輝度及びコントラストが低下する。
　【００１０】
　また、横ストライプのレンチキュラレンズスクリーン２３を追加して、２枚のレンチキュラレンズスクリーン１４、２３の両方に光拡散剤２１を混入させると、やはり光透過率が低下して、画像の輝度及びコントラストが低下する。逆に、２枚のレンチキュラレンズスクリーン１４、２３の何れにも光拡散剤２１を混入させないと、横ストライプのレンチキュラレンズスクリーン２３のレンチキュラレンズと画像の走査線との間でモアレが目立つ。従って、上述の何れの従来例でも、高品質の画像を表示することができなかった。
　【００１１】
　【課題を解決するための手段】
　請求項
１
　【００１２】
　【作用】
　請求項
１
　【００１３】
　しかも、光拡散剤２１が混入されている第１のレンチキュラレンズスクリーン１４が画像の光１７の入射側に位置しているので、第２のレンチキュラレンズスクリーン２３のレンチキュラレンズ以外の部分に設けられている光吸収面２２によって、第１のレンチキュラレンズスクリーン１４中の光拡散剤２１で反射された外光２７を第２のレンチキュラレンズスクリーン２３の光吸収面２２で吸収することができて、画像のコントラストが更に高い。
　【００１４】
　【実施例】
　以下、本願の発明の第１〜第４参考例並びに第１及び第２実施例を、図１〜５を参照しながら説明する。なお、図６〜１０に示した従来例と対応する構成部分には、同一の符号を付してある。
　【００１５】
　まず、第１参考例を説明する。この第１参考例は、図９に示した様に縦ストライプのレンチキュラレンズスクリーン１４に横ストライプのレンチキュラレンズスクリーン２３が重畳されているが、これら２枚のレンチキュラレンズスクリーン１４、２３の少なくとも一方には光拡散剤２１が混入されていないことを除いて、図９に示した従来例と実質的に同様の構成を有している。
　【００１６】
　この様な第１参考例では、２枚のレンチキュラレンズスクリーン１４、２３によって視野角を立体的に拡げることができるにも拘らず、２枚のレンチキュラレンズスクリーン１４、２３の両方に光拡散剤２１が混入されている構造に比べて、入射光の反射が少なくて光透過率が高い。このため、画像の輝度及びコントラストが高くて、高品質の画像を表示することができる。
　【００１７】
　図１が、第１実施例を示している。この第１実施例も、縦ストライプのレンチキュラレンズスクリーン１４に横ストライプのレンチキュラレンズスクリーン２３が重畳されているが、レンチキュラレンズスクリーン１４にのみ光拡散剤２１が混入されており、レンチキュラレンズスクリーン２３には光拡散剤２１が混入されていないことを除いて、図９に示した従来例と実質的に同様の構成を有している。
　【００１８】
　この様な第１実施例でも、２枚のレンチキュラレンズスクリーン１４、２３によって視野角を立体的に拡げることができるにも拘らず、光拡散剤２１はレンチキュラレンズスクリーン１４中にしか混入されていないので、光透過率が高い。
　【００１９】
　しかも、レンチキュラレンズスクリーン１４、２３の垂直側面を示している図１（ａ）からも明らかな様に、レンチキュラレンズスクリーン２３の出射側のレンチキュラレンズとレンチキュラレンズスクリーン１４中の光拡散剤２１とによって垂直方向に２つの拡散面２５、２６が形成されており、これらの拡散面２５、２６の間に間隔ｄが存在している。
　【００２０】
　この間隔ｄのために、レンチキュラレンズスクリーン１４、２３の垂直方向は光学的ローパスフィルタになり、画像の走査線がぼけるので、横ストライプのレンチキュラレンズスクリーン２３のレンチキュラレンズと画像の走査線との間のモアレが目立たない。しかし、この光学的ローパスフィルタは、水平方向の解像度には何ら影響を与えない。従って、この第１実施例では、立体的な視野角と高品質の画像とを同時に実現することができる。
　【００２１】
　図２（ａ）が、第２実施例を示している。この第２実施例は、図１に示した第１実施例とは逆に、光拡散剤２１が混入されている縦ストライプのレンチキュラレンズスクリーン１４が光１７の入射側に位置しており、光拡散剤２１が混入されていない横ストライプのレンチキュラレンズスクリーン２３が光１７の出射側に位置していることを除いて、上述の第１実施例と実質的に同様の構成を有している。
　【００２２】
　ところで、光１７の出射側に位置しているレンチキュラレンズスクリーン２３に光拡散剤２１が混入されていると、図２（ｂ）に示す様に、画像の光１７のみならず外光２７も光拡散剤２１で拡散されて、画像のコントラストが低い。
　【００２３】
　しかし、この第２実施例では、光１７の入射側に位置しているレンチキュラレンズスクリーン１４に光拡散剤２１が混入されているので、図２（ａ）からも明らかな様に、この光拡散剤２１で拡散された外光２７はレンチキュラレンズスクリーン２３の黒色面２２に吸収される。従って、この第２実施例では、画像のコントラストが更に高くて画質が非常に高い。
　【００２４】
　図３、４が、第２参考例を示している。この第２参考例は、図３に示す様に、縦ストライプのレンチキュラレンズスクリーン１４と横ストライプのレンチキュラレンズスクリーン２３とのストライプ方向が互いに直交している状態で、双方のレンチキュラレンズスクリーン１４、２３が画像の走査線の方向に対して４５°だけ回転していることを除いて、図９に示した従来例と実質的に同様の構成を有している。
　【００２５】
　この様な第２参考例では、図４（ａ）に示す様に、レンチキュラレンズスクリーン１４、２３のストライプのピッチをＰ１とすると、図４（ｂ）に示す様に、画像の垂直方向におけるストライプのピッチＰ２はＰ１／２１／２と狭くなる。このため、レンチキュラレンズと画像の走査線との間のモアレの周波数が、図９に示した従来例よりもこの第２参考例の方が高く、モアレが目立ちにくい。
　【００２６】
　なお、この第２参考例では、縦ストライプのレンチキュラレンズスクリーン１４と横ストライプのレンチキュラレンズスクリーン２３との双方が画像の走査線の方向に対して４５°だけ回転しているが、横ストライプのレンチキュラレンズスクリーン２３のみを回転させてもよい。
　【００２７】
　次に、第３参考例を説明する。この第３参考例は、格子状に並んでいる複数のマイクロレンズを有するマイクロレンズスクリーンが、図４（ｂ）と同様に、画像の走査線の方向に対して回転していることを除いて、図１０に示した従来例と実質的に同様の構成を有している。この様な第３参考例でも、上述の第２参考例と同様の作用効果を奏することができる。
　【００２８】
　図５が、第４参考例を示している。この第４参考例は、図５に示す様に、複数のマイクロレンズが画像の走査線に対して垂直な方向に並んでいるが、走査線の方向で隣接している列のマイクロレンズ同士が列内におけるマイクロレンズ同士のピッチの半分ずつずれていることを除いて、図１０に示した従来例と実質的に同様の構成を有している。
　【００２９】
　この様な第４参考例では、１つの列内のマイクロレンズのピッチをＰ１とすると、画像の垂直方向における実質的なピッチＰ２はＰ１／２と第２及び第３参考例よりも更に狭く、マイクロレンズの行と走査線との間のモアレの周波数が更に高い。このため、この第４参考例では、第２及び第３参考例よりもモアレが更に目立ちにくい。
　【００３０】
　【発明の効果】
　本願の発明によるプロジェクションテレビ用スクリーンでは、視野角を立体的に拡げることができるにも拘らず、光透過率が高くて画像の輝度及びコントラストが高く、しかもモアレが目立たないので、高品質の画像を表示することができる。
【図面の簡単な説明】
　【図１】
　本願の発明の第１実施例を示しており、（ａ）は垂直側面図、（ｂ）は水平側面図である。
　【図２】
　（ａ）は第２実施例の垂直側面図、（ｂ）は第２実施例が解決しようとする課題を示すための垂直側面図である。
　【図３】
　本願の発明の第２参考例の斜視図である。
　【図４】
　第２参考例を説明するためのレンチキュラレンズスクリーンの背面図である。
　【図５】
　第４参考例の正面図である。
　【図６】
　本願の発明を適用し得るプロジェクションテレビの模式的な側面図である。
　【図７】
　本願の発明の一従来例の斜視図である。
　【図８】
　一従来例の課題を示しており、（ａ）は垂直側面図、（ｂ）は水平側面図である。
　【図９】
　別の一従来例の斜視図である。
　【図１０】
　更に別の従来例を示しており、（ａ）は正面図、（ｂ）は背面図、（ｃ）は側面図である。
　【符号の説明】
　１４　レンチキュラレンズスクリーン
　１７　光
　２１　光拡散剤
　２３　レンチキュラレンズスクリーン
　２４　マイクロレンズスクリーン